(57)【要約】【課題】タグラグビーに使用するタグベルトを、バックルを使用せずにプレーヤーに固定し、固定したタグベルトの位置から緩むことなく使用できるタグベルト、タグベルトの固定方法、およびタグラグビー用具を提供することを目的とする。【解決手段】ベルト部１１１が、プレーヤーの腰部に環状に巻かれ、留め具１１２ａが、ベルト部１１１の一方端の内周面を、ベルト部１１１の外周面に渡って設けられた留め具１１１ａに着脱可能に固定する。【選択図】図１
2019007110.tif 000002
【特許請求の範囲】
【請求項１】
タグラグビーをするプレーヤーに装着されるタグベルトにおいて、
前記プレーヤーの腰部に環状に巻かれるベルト部と、
前記ベルト部の一方端の内周面を、前記ベルト部の外周面に着脱可能に固定する留め具と、
を備えることを特徴とするタグベルト。
【請求項２】
前記留め具は、
前記ベルト部の外周面に渡って設けられる第一留め具と、
前記ベルト部の一方端の先端面に連続して設けられる第二留め具と、
を備えることを特徴とする請求項１記載のタグベルト。
【請求項３】
前記第一留め具は、
前記ベルト部の外周面全域に設けられることを特徴とする請求項２記載のタグベルト。
【請求項４】
前記第二留め具は、
前記第二留め具の反対側面に文字および絵を表示する印刷面を備えることを特徴とする請求項２記載のタグベルト。
【請求項５】
前記印刷面は、
広告情報を表示することを特徴とする請求項４記載のタグベルト。
【請求項６】
前記留め具は、
面ファスナーであることを特徴とする請求項１記載のタグベルト。
【請求項７】
タグラグビーをするプレーヤーに装着されるタグベルトの固定方法において、
ベルト部が、前記プレーヤーの腰部に環状に巻かれる工程と、
留め具が、前記ベルト部の一方端の内周面を、前記ベルト部の外周面に着脱可能に固定する工程と、
を備えることを特徴とするタグベルトの固定方法。
【請求項８】
タグラグビーをするプレーヤーに装着されるタグラグビー用具において、
前記プレーヤーの腰部に環状に巻かれるベルト部と、
前記ベルト部の一方端の内周面を、前記ベルト部の外周面に着脱可能に固定する留め具と、
前記プレーヤーの腰部左右にあたるいちの前記ベルト部に貼付される２本の帯状のタグと、
前記タグの一面の一端を、前記ベルト部の外周面に着脱可能に固定する留め具と、
を備えることを特徴とするタグラグビー用具。
【発明の詳細な説明】
【技術分野】
【０００１】
本発明は、タタグベルト、タグベルトの固定方法、およびタグラグビー用具に関し、特にタグラグビーをするプレーヤーに装着されるタグベルト、タグベルトの固定方法、およびタグラグビー用具に関する。
【背景技術】
【０００２】
従来から、回転楕円体のボールを使ったラグビーというスポーツが世界各地で競技されている。このラグビーは、相手側の攻撃を阻止するために、相手側プレーヤーに自分の身体をぶつけて、相手側プレーヤーを倒したりするタックルというプレーが認められている。
【０００３】
タックルされて地面に倒されたプレーヤーは、プレーが続けられるようにボールを離さなければならないため、攻撃側にはボールを奪う機会が生じることになる。たとえ相手側からボールを奪い返せなくても、タックルが成立することで相手側の攻撃を止めることができるので、実質的に防御のための時間を稼ぐことが可能となる。このようにラグビーでは、タックルというプレーが必須の行為となっている。
【０００４】
ラグビーでは、相手側プレーヤーを捕らえて倒すという行為がタックルになるため、相手プレーヤーへの自分の身体のぶつけ方によっては、非常に危険なプレーとなってしまってしまう。例えば、肩より上へ体当たりするハイタックルは、相手プレーヤーの頸椎を損傷させる恐れがあるため、ラグビーのルール上で禁止事項とされている。
【０００５】
このように身体と身体とがぶつかり合うタックルは、禁止されたタックルを行わなかったとしても、タックルの仕方によって相手プレーヤーに大怪我をさせてしまうこともある。そのためラグビーでは、タックルというプレーが度々問題となっている。
【０００６】
そこで、この危険度の高いタックルをタグと呼ばれるリボンを取るという別の行為に置き換えることで、プレーヤー同士の接触プレーをなくし、またルールを単純化することで、ラグビーの経験の有無や、老若男女問わずにラグビーを安全に楽しむことができるタグラグビーというボールゲームが知られている（たとえば、非特許文献１参照）。
【０００７】
タグラグビーとは具体的に、プレーヤーの腰にタグベルトと呼ばれるベルトを装着し、そのタグベルト左右の両腰位置に当たる部分に、タグとよばれる２本のリボンを面ファスナーで取り付けてプレーする。
【０００８】
このプレーヤーの両腰に取り付けられたタグは、面ファスナーで取り付けられているため、容易に取り外すことができる。この容易に取り外すことができるタグを、相手プレーヤーが取ることで、従来危険なプレーであったタックルの代わりとなっている。
【０００９】
図６は、タグラグビーで使用される用具の詳細を示す図である。
図６に示すように、タグラグビー用具１０は、タグベルト１１、連結具１２、第一タグ留め具１３、第二タグ留め具１４、およびタグ１５が備えられている。
【００１０】
タグベルト１１は、タグラグビーをプレーするプレーヤーの腰回りに十分に巻ける長さを備えており、たとえばナイロン製の帯などを使用した丈夫なベルトである。
タグベルト１１の両端部には、タグベルト１１の端部を連結するための連結具１２が備えられている。このタグベルト１１の両端部に設けられた連結具１２同士を連結することで、プレーヤーの腰回りにタグベルト１１が巻かれて固定される。
【００１１】
タグベルト１１の一方の端部からやや中央よりにはタグ１５を固定するための第一タグ留め具１３が、またタグベルト１１の中央付近には第二タグ留め具１４が、備えられている。
第一タグ留め具１３は、固定するタグ１５の幅と同じ幅で設けられる留め具であり、例えば面ファスナーを構成する一面部材がタグベルト１１に縫い付けられている。
【００１２】
第二タグ留め具１４は、第一タグ留め具１３よりも広い幅で設けられる留め具であり、例えば面ファスナーを構成する一面部材が、タグベルト１１に縫い付けられている。タグラグビー用具１０は、後に説明するように、環状に巻かれたタグベルト１１の径が伸縮自在になっており、あらゆる体格のプレーヤーにもタグラグビー用具１０がプレーヤーの腰部に固定できるようになっている。
【００１３】
このため、第二タグ留め具１４を幅広く設けることで、第一タグ留め具１３に固定したタグ１５の位置をプレーヤーの腰部左右どちらかの位置に固定し、幅広く設けられた第二タグ留め具１４の領域の内、プレーヤーの残された腰部左右どちらかの位置にタグ１５を貼り付けて固定することで、胴回りの異なるプレーヤーに対しても、第二タグ留め具１４の幅の範囲で、タグ１５の固定位置を調整することができる。
【００１４】
タグ１５は、前述の通りタグラグビーにおいて、ラグビーのタックルの代わりに使用されるものであり、たとえばターポリン素材のようなビニール製のリボンが２本使用される。それぞれのタグ１５の一方の面の端部には、留め具１５ａが縫い付けられている。
【００１５】
留め具１５ａは面ファスナーを構成する一面部材であり、第一タグ留め具１３および第二タグ留め具１４に対応したものである。この留め具１５ａを第一タグ留め具１３および第二タグ留め具１４の範囲内に貼り付けられることで、それぞれのタグ１５をタグベルト１１に固定することができる。
【００１６】
また第一タグ留め具１３、第二タグ留め具１４に対する留め具１５ａの固定に面ファスナーを使用することで、容易に取付けることが可能で有り、また取り外しも容易となる。このため従来では危険であったタックルを、タグを取る行為に置き換えられ、タグラグビーの競技中におけるプレーヤー同士の接触事故を防止することができる。また、タグ１５は、赤・青・黄・緑などの色づけをしたリボンを用意することで、チームごとの色分けを明確にすることができる。
【００１７】
なお、タグベルト１１の端部を連結する連結具１２には、バックルと呼ばれる固定具が使用され、連結具１２の位置でタグベルト１１を折り返すことで、環状に巻かれたタグベルト１１の径や締め付ける強さを調節できる。またプレーヤーが競技中に負担にならないように、軽量の合成樹脂が使われた合成樹脂製のバックルが使用されている（たとえば、特許文献１参照）。
【００１８】
図７は、連結具の詳細を示す図である。
図７に示すように、連結具２０は、ソケット部２１およびプラグ部２５を備えている。
ソケット部２１は、ベルト連結部２２、基板部２３、および解除ボタン２４が備えられている。
【００１９】
タグベルト１１とソケット部２１とを連結するためのベルト連結部２２は、ベルト通し穴２１ａを備えた合成樹脂製の部材である。ベルト通し穴２１ａにタグベルト１１の一端を通して折り返し、その端部をタグベルト１１に縫い付けて固定する。これによりソケット部２１は、タグベルト１１の一端に固定される。
【００２０】
基板部２３は、ベルト連結部２２から連続して設けられた合成樹脂製の部材である。また、基板部２３の内部にはプラグ部２５に対応した形状の係合部２３ａが形成されている。
【００２１】
解除ボタン２４は、ソケット部２１の上下外側から係合部２３ａに向けて貫通する棒体であり、解除ボタン２４を係合部２３ａ方向に押し込むことで、係合部２３ａの空間形状が変化する。
【００２２】
プラグ部２５は、ベルト連結部２６および係合部２７を備えている。
タグベルト１１とプラグ部２５とを連結するためのベルト連結部２６は、ベルト通し穴２６ａおよび２６ｂを備えた合成樹脂製の部材である。
【００２３】
プレーヤーの腰側のベルト通し穴２６ａからタグベルト１１の他端を挿入してタグベルト１１側に折り返し、さらにプレーヤーの外側からベルト通し穴２６ｂにタグベルト１１の他端を挿入する。
【００２４】
タグベルト１１をプレーヤーの腰部に装着した後、プレーヤーの腰部をタグベルト１１で締め付けるように、ベルト通し穴２６ｂから挿入したタグベルト１１の他端を引っ張って締め付けることで、環状のタグベルト１１の径を容易に小さくすることができる。
【００２５】
また、ベルト通し穴２６ｂから挿入したタグベルト１１を、ベルト通し穴２６ｂに押し戻すことで、環状のタグベルト１１の径を容易に多くし緩めることができる。このように、プラグ部２５は、タグベルト１１の他端から位置調節可能にしてタグベルト１１に固定することで、環状のタグベルト１１の径を自在に調節することができる。
【００２６】
係合部２７は、ベルト連結部２６から連続して設けられた合成樹脂製の部材であり、係合部２３ａとの係合手段を備えた係合脚２７ａを備えている。
プラグ部２５は、ソケット部２１に挿入することで、係合脚２７ａと係合部２３ａとがつなぎ合わさり、プラグ部２５とソケット部２１とが連結されて固定される。
【００２７】
連結されたプラグ部２５とソケット部２１とは、解除ボタン２４を係合部２３ａ方向に押し込むことで、係合脚２７ａと係合部２３ａとが解除される方向に係合脚２７ａおよび係合部２３ａの形状が変化し、プラグ部２５とソケット部２１との連結が解除される。
【先行技術文献】
【特許文献】
【００２８】
【非特許文献１】「用具について−用具の説明と取扱注意−タグラグビーオフィシャルウェブサイト」、［online］、［平成２９年６月１２日検索］、インターネット〈URL：http://www.tagrugby-japan.jp/faq/〉
【００２９】
【特許文献１】特開平８−５６７１０号公報
【発明の概要】
【発明が解決しようとする課題】
【００３０】
しかし、この合成樹脂製のバックルは、競技中などでバックルに強い力が加わるとバックルが破損してしまう問題があった。
一般的にタグベルト１１に使用されるバックルはプレーヤーの負担にならないように、軽量の合成樹脂製のバックルが使用されている。
【００３１】
合成樹脂製の部材は硬いが衝撃に弱いため割れやすく、また紫外線に弱いため太陽光に当たる場所では劣化が早くなってしまう弱点がある。このため屋外で競技するタグラグビーでは、劣化した合成樹脂製のバックルがタグラグビーの競技中に破損してしまうことがあった。
【００３２】
具体的には、ソケット部２１に挿入するプラグ部２５は、係合部２３ａに固定しやすいように、または係合部２３ａから解除しやすいように、形成された細い２本の係合脚２７ａによって連結固定されている。
【００３３】
この係合脚２７ａも合成樹脂製でできており、この細い係合脚２７ａに強い力が加わると容易に係合脚２７ａが割れてしまう。とくにラグビーやタグラグビーのように、競技場をプレーヤーが長時間走る競技では、プレーヤーの下半身の動きがタグベルト１１に伝わり、タグベルト１１を連結しているバックルの係合脚２７ａに負担がかかることで、バックルが破損してしまうことがあった。また屋外の競技が多いタグラグビーは、紫外線の影響もあって合成樹脂が劣化しやすいため、劣化した合成樹脂によってバックルの破損する頻度も多くなっていた。
【００３４】
合成樹脂製のバックルが破損すると、破損した合成樹脂製のバックルの破片でプレーヤーが怪我をしてしまうだけでなく、バックルの破損によりプレーヤーから外れたタグベルト１１がプレーヤーの足に絡まり、周りのプレーヤーも含めて転倒するなどの事故も起こっている。
【００３５】
またタグベルト１１を容易に連結固定または解除が可能な合成樹脂製のバックルは、容易に解除できてしまうため、競技中の動作によっては、タグベルト１１が簡単に解除されてしまう問題もあった。
【００３６】
具体的には、合成樹脂製のバックルは、プラグ部２５をソケット部２１に挿入するだけで容易にタグベルト１１を連結固定することができ、解除ボタン２４を押すだけで連結されたバックルを容易に解除ができる。
【００３７】
つまり競技中にプレーヤーの動作で、解除ボタン２４が押されてしてしまうと、バックル同士の連結が解除されてタグベルト１１がプレーヤーから外れてしまい、バックルが破損した時と同様に、プレーヤーの足に絡まって転倒してしまう恐れがある。
【００３８】
さらに、合成樹脂製のバックルとタグベルト１１の固定方法は、タグベルト１１の一端はベルト連結部２２によって完全に固定されているが、タグベルト１１の他端はベルト連結部２６のように位置調整可能に固定されている。
【００３９】
このため、競技中の運動によってはベルトが緩んでしまう可能性がある。ベルトが緩むとベルトが回転し、プレーヤーに腰部左右に固定されたはずのタグ１５の位置が移動してしまうことになる。
【００４０】
タグ１５が移動してしまうと場所によっては相手プレーヤーからタグ１５が取りづらい位置に移動してしまうので、公平な競技を行うことはできなくなってしまう。
さらに万が一緩んだベルトがプレーヤーの腰から外れてしまった場合には、外れたベルトがプレーヤーの足に絡まり、プレーヤーの転倒につながる恐れがあった。
【００４１】
また位置調整可能に固定されたベルト連結部２６では、細身のプレーヤーにタグベルト１１を装着した場合、プレーヤーの腰部に合わせて環状に巻いたタグベルト１１の径を小さくすることで、ベルト連結部２６から余ったタグベルト１１の他端が大きく垂れ下がった状態となっている。
【００４２】
この状態でプレーヤーが運動を行うと、大きく垂れ下がったタグベルト１１の端部は、プレーヤーの運動によってタグベルト１１の端部が大きく暴れ、自分の体だけでなく、他のプレーヤーを傷つけてしまうことがあった。
【００４３】
また、上記のような合成樹脂製のバックルによるタグベルト１１の固定は、固定時や解除時に指先の力が必要であり、タグラグビーが老若男女問わずのスポーツのはずが、小さい子供たちには自分でタグベルト１１を固定することが困難であった。
【００４４】
一方で、このような合成樹脂製のバックルを使用せず、ゴム素材のベルトを使用することも考えられるが、小さいこともから大人まで対応するほどの伸縮性のよいゴム素材は存在しない。
【００４５】
つまり、ある程度の年齢層に合わせたサイズのゴム素材のタグベルト１１を製造する必要があり、幅広い年齢層に対応させるためには各種サイズを生産しなくてはならず、生産コストが加算してしまうため現実的ではなかった。
【００４６】
またゴム素材は、長時間使用することで劣化し、伸びきってしまう問題もある。劣化したゴム素材のタグベルト１１を使用することで、プレーヤーからタグベルト１１がズレ落ちてしまうという不安も考えられる。
【００４７】
このように、タグベルト１１の連結に使用されている合成樹脂製のバックルは、取り付けやすく解除しやすい利点はあるが、バックルの破損や、タグベルト１１の緩みなどが生じてしまい、その結果プレーヤーが転倒して怪我をする原因となっていた。
【００４８】
つまりタグラグビー用具の一部であるタグベルト１１に、合成樹脂製のバックルを使って連結してしまうと、安全であったタグラグビーが、ケガを誘発する危険なスポーツになってしてしまう問題となっていた。
【００４９】
本発明はこのような点に鑑みてなされたものであり、タグラグビーに使用するタグベルトを、バックルを使用せずにプレーヤーに固定し、固定したタグベルトの位置から緩むことなく使用できるタグベルト、タグベルトの固定方法、およびタグラグビー用具を提供することを目的とする。
【課題を解決するための手段】
【００５０】
本発明では上記問題を解決するために、タグラグビーをするプレーヤーに装着されるタグベルトにおいて、前記プレーヤーの腰部に環状に巻かれるベルト部と、前記ベルト部の一方端の内周面を、前記ベルト部の外周面に着脱可能に固定する留め具とを備えることを特徴とするタグベルトが提供される。
これにより、ベルト部が、プレーヤーの腰部に環状に巻かれ、留め具が、ベルト部の一方端の内周面を、ベルト部の外周面に着脱可能に固定する。
【００５１】
また、本発明では、タグラグビーをするプレーヤーに装着されるタグベルトの固定方法において、ベルト部が、前記プレーヤーの腰部に環状に巻かれる工程と、留め具が、前記ベルト部の一方端の内周面を、前記ベルト部の外周面に着脱可能に固定する工程とを備えることを特徴とするタグベルトの固定方法が提供される。
これにより、ベルト部が、プレーヤーの腰部に環状に巻かれ、留め具が、ベルト部の一方端の内周面を、ベルト部の外周面に着脱可能に固定する。
【００５２】
また、本発明では、タグラグビーをするプレーヤーに装着されるタグラグビー用具において、前記プレーヤーの腰部に環状に巻かれるベルト部と、前記ベルト部の一方端の内周面を、前記ベルト部の外周面に着脱可能に固定する留め具と、前記プレーヤーの腰部左右にあたるいちの前記ベルト部に貼付される２本の帯状のタグと、前記タグの一面の一端を、前記ベルト部の外周面に着脱可能に固定する留め具とを備えることを特徴とするタグラグビー用具が提供される。
【００５３】
これにより、ベルト部が、プレーヤーの腰部に環状に巻かれ、留め具が、ベルト部の一方端の内周面を、ベルト部の外周面に着脱可能に固定し、２本の帯状のタグが、プレーヤーの腰部左右にあたるいちのベルト部の外周面に貼付され、留め具が、タグの一面の一端を、ベルト部の外周面に着脱可能に固定する。
【発明の効果】
【００５４】
本発明のタグベルト、タグベルトの固定方法、およびタグラグビー用具によれば、ベルト部が、プレーヤーの腰部に環状に巻かれ、留め具が、ベルト部の一方端の内周面を、ベルト部の外周面に着脱可能に固定するので、従来、破損することでプレーヤーの怪我の要因となっていたバックルを使用することなく、タグラグビーに使用するタグベルトをプレーヤーに固定することができ、タグベルトをプレーヤーに固定した状態から緩むことがない。
【図面の簡単な説明】
【００５５】
【図１】本実施の形態に係るタグラグビー用具の概要を示す図である。
【図２】タグベルトの詳細を示す図である。
【図３】タグベルトの取付け方法を示す図である。
【図４】タグの詳細を示す図である。
【図５】タグベルトにタグを装着した状態を示す図である。
【図６】タグラグビーで使用される用具の詳細を示す図である。
【図７】連結具の詳細を示す図である。
【発明を実施するための形態】
【００５６】
以下、本発明の実施の形態を、図面を参照して詳細に説明する。
図１は、本実施の形態に係るタグラグビー用具の概要を示す図である。
図１に示すように、タグラグビー用具１００は、タグベルト１１０および２本のタグ１２０を備えている。
【００５７】
タグベルト１１０は、プレーヤーの腰回りに巻いて固定するベルトであり、ベルト部１１１および固定部１１２を備えている。
ベルト部１１１は、タグラグビーをプレーするプレーヤーの腰回りを十分に巻ける長さを備えており、材質は例えばナイロン製などの丈夫な帯が使用されたものである。
【００５８】
ベルト部１１１は、例えば幅４０ｍｍ、長さ８５０ｍｍのナイロン製のベルトであり、タグベルト１１０の一面には、全面にわたって留め具１１１ａが設けられている。なお便宜上、タグベルト１１０のうち、留め具１１１ａが設けられ、プレーヤーの身体側に接する面を裏側面、その反対側の面を表側面として以下説明する。
【００５９】
留め具１１１ａは例えば面ファスナーを構成する一面部材であり、同じく面ファスナーを構成する一面部材であって留め具１１１ａに対応する一面部材を備えた固定部１１２が、留め具１１１ａに貼り付けられることで、ベルト部１１１に固定部１１２が固定される。
【００６０】
同様に、タグ１２０の一部にも留め具１１１ａに対応した面ファスナーを構成する一面部材が備えられており、タグ１２０が留め具１１１ａに貼り付けられることで、ベルト部１１１にタグ１２０が固定される。詳細は後述する。
【００６１】
ベルト部１１１の一端には、固定部１１２が連続するように設けられている。固定部１１２は、例えば幅４０ｍｍ、長さ２５０ｍｍのナイロン製の帯体であり、固定部１１２の裏側面には、留め具１１１ａに対応した面ファスナーを構成する一面部材の留め具１１２ａが全面にわたって設けられる。または固定部１１２そのものを留め具１１１ａに対応した面ファスナーを構成する一面部材とすることもできる。
【００６２】
タグベルト１１０は、プレーヤーの腰部に巻き付けられ、環状になったタグベルト１１０の一方の端部に設けられた固定部１１２が、タグベルト１１０の他方の端部からタグベルト１１０を覆うようにして留め具１１１ａに貼り付けられて固定される。
【００６３】
タグ１２０は、タグラグビーの規格サイズで設けられた例えば幅５０ｍｍ、長さ３７５ｍｍのビニール製の帯体である。
またタグ１２０の一方の面の端部には、留め具１１１ａに対応した面ファスナーを構成する一面部材である留め具１２１が、幅５０ｍｍ、高さ２０ｍｍで設けられている。
【００６４】
タグ１２０が有する留め具１２１を、プレーヤーの腰部に巻いたタグベルト１１０の外周に露出した留め具１１１ａに貼り付けることで、タグ１２０の一端をタグベルト１１０の任意の場所に固定することができる。
【００６５】
図２は、タグベルトの詳細を示す図である。
図２に示すように、タグベルト１１０は、ベルト部１１１および固定部１１２が備えられている。
【００６６】
前述の通り、表側面に留め具１１１ａを備えたベルト部１１１の一端には、固定部１１２が連続するように設けられている。なお、タグベルト１１０は、ベルト部１１１に固定部１１２を連続的に設けるだけでなく、ベルト部１１１の裏側面の一端に留め具１１２ａを設け、表側面全域にわたって留め具１１１ａを設けることもできる。
【００６７】
固定部１１２の裏側面には留め具１１２ａが設けられるが、留め具１１２ａの表側面には印字面１１２ｂを設けることができる。固定部１１２は留め具１１１ａに外側から覆うように貼り付けられるので必ず印字面１１２ｂは最上面に位置する。
【００６８】
従来のバックルには小さくて印字面を設けることができなかったが、本発明のように印字面１１２ｂにタグラグビーのスポンサー広告や、タグラグビー用具１００のメーカー名などを印字することで、周囲に印字物をアピールすることができる。
【００６９】
また、留め具１１２ａの表側面に印字面１１２ｂを設けたことで、装着時に面ファスナーの裏表や前後が容易に判断できる。これにより子供でも容易にタグベルト１１０を装着することができる。なお、印字面１１２ｂのデザイン、大きさは任意に変更することができる。
【００７０】
図３は、タグベルトの取付け方法を示す図である。
図３に示すように、タグベルト１１０は、図示しないプレーヤーの腰部に巻き付けられ、タグベルト１１０に一端に設けられた固定部１１２が有する留め具１１２ａが、タグベルト１１０に他端から留め具１１１ａを覆うように貼り付けられる。
形成される環状のタグベルト１１０の径は、留め具１１１ａに貼り付けられる留め具１１２ａの位置を変更することでタグベルト１１０の径を調節することができる。
【００７１】
具体的には、タグベルト１１０は環状にしてプレーヤーの腰に巻き付け、固定部１１２が有する留め具１１２ａをプレーヤーの腰回りに合わせて、留め具１１１ａに貼り付ける。
図３（ａ）は、胴回りが小さいプレーヤーに巻いたタグベルト１１０である。
図３（ｂ）は、胴回りが大きいプレーヤーに巻いたタグベルト１１０である。
【００７２】
ベルト部１１１の長さが８５０ｍｍであり、固定部１１２の長さが２５０ｍｍなのでタグベルト１１０の全長は１１００ｍｍである。留め具１１１ａに貼り付ける固定部１１２の長さを１００ｍｍとした場合、プレーヤーの腰回りが最大１０００ｍｍの大型プレーヤーの腰部にも対応することができる。
【００７３】
このように、タグベルト１１０の長さを自由に変更できるので、子供用と大人用のサイズを設定せず、子供から指導者、親などの大人までフリーサイズのタグベルト１１０を提供することができる。
【００７４】
またサイズ調整で余ったタグベルト１１０は、表側面に露出せずにタグベルト１１０の内側に巻き込んで収納することができる。このため余ったベルトが競技中に外部で暴れることなく競技を行うことができる。これにより余ったベルトによるプレーヤーの怪我がなくなる。
【００７５】
またタグベルト１１０の固定は、面ファスナーを使用して面で固定されているので緩むことがなくなり、競技中にプレーヤーの腰部からタグベルト１１０が移動してしまうことはない。さらにバックルのような破損の恐れがある部材を使用していないので、プレーヤーがタグベルト１１０に起因する怪我をなくすことができる。
【００７６】
図４は、タグの詳細を示す図である。
図４に示すように、タグ１２０は、留め具１２１を備えている。
【００７７】
タグ１２０の一端には、面ファスナーを構成する一面部材であって留め具１１１ａに対応する留め具１２１が設けられている。留め具１２１はタグ１２０の幅と同じ幅で設けられ、２０ｍｍ程度の高さで形成される。
【００７８】
これによりプレーヤーの腰部に固定されたタグベルト１１０の任意の位置に貼り付けることができる。またタグ１２０の反対側面には、タグ１２０の色を識別できる程度の文字情報を印字することができる。
【００７９】
図５は、タグベルトにタグを装着した状態を示す図である。
図５に示すように、任意の大きさに固定したタグベルト１１０の左右には、タグ１２０が固定される。
【００８０】
プレーヤーの腰に巻いたタグベルト１１０の表側面の固定部１１２を除いた全面には、環状に固定したタグベルト１１０の径が変化しても、常に留め具１１１ａが外周に露出しているため、タグ１２０をプレーヤーの腰部左右の位置にあたる任意の場所に貼り付けることができる。つまりタグベルト１１０を装着するプレーヤーが変わっても、プレーヤーが装着したタグベルト１１０の両腰左右の位置にタグ１２０を固定することができる。
【００８１】
以上のように、バックルを使用せずに面ファスナーを使用してタグベルト１１０を固定することで、タグベルト１１０の付属物の破損によるプレーヤーの損傷はなくなる。
またサイズ調整のため、あまったタグベルト１１０はタグベルト１１０の裏側面に収納できるので、表側に出ることはなくなり、余ったタグベルト１１０によるプレーヤーの怪我を防止することができる。
【００８２】
またタグベルト１１０の固定は、面ファスナーを構成して面で固定するため、固定した位置からベルトが緩んでしまうことがない。このため、プレーヤーは安心してタグラグビーをプレーすることができる。
【００８３】
なお、ベルト部１１１が有する留め具１１１ａと、固定部１１２が有する留め具１１２ａとを面ファスナーで固定する旨の説明をしたが、条件を満たせば面ファスナーだけに限らず、ボタンやファスナーなどの他の留め具を用いてもよい。
【００８４】
また、タグベルト１１０にバックルのような固い留め具を使用しないため、使用後は、タグベルト１１０に他端側から小さく渦巻き状巻いていき、留め具１１１ａをベルト部１１１に貼り付けることで、コンパクトに収納することができる。これにより従来のバックルを使用したベルトでは、収納時に他のベルトと絡まっていたが、本発明のタグベルト１１０は、他のタグベルトと絡まることなく保管することができる。また使用時にも容易に取り出して使用することができる。
【符号の説明】
【００８５】
１０、１００  タグラグビー用具
１１、１１０  タグベルト
１２、２０  連結具
１３  第一タグ留め具
１４  第二タグ留め具
１５、１２０  タグ
１５ａ、１１１ａ、１１２ａ、１２１  留め具
２１  ソケット部
２１ａ、２６ａ、２６ｂ  ベルト通し穴
２２、２６  ベルト連結部
２３  基板部
２３ａ、２７  係合部
２４  解除ボタン
２５  プラグ部
２７ａ  係合脚
１１１  ベルト部
１１２  固定部
１１２ｂ  印字面
【図１】
2019007110.tif 000003
【図２】
2019007110.tif 000004
【図３】
2019007110.tif 000005
【図４】
2019007110.tif 000006
【図５】
2019007110.tif 000007
【図６】
2019007110.tif 000008
【図７】
2019007110.tif 000009